(57)【要約】      （修正有）【課題】従来技術の不利点を克服し或いは実質的に改善し、より一般的には、改良された照明装置を提供する。【解決手段】照明装置１０、特にディスプレイオブジェクトを照らすための照明装置が、直立軸の周りでハウジング１２上で回転するように支持されるプラットフォーム１４を含む。光源がプラットフォーム１４の少なくとも部分を通じて上向きに光を発する。電源が、光源と、プラットフォーム１４を回転させるモータとに接続される。装置の多様性及び容易な再構成をもたらすために、環状凹部がハウジング１２の外部に設けられ、環状凹部は、直立軸の周りに延在する凹面を有し、フレーム１６が、ハウジング１２から突出してプラットフォーム１４の周りに円周状に延在するように構成され、フレーム１６は、凹面と相補的であり且つ凹面の上に載るように構成される支持面を有する。【選択図】図１
0003214527.tif 000002
【実用新案登録請求の範囲】
【請求項１】
ハウジング室を定めるハウジングと、
該ハウジングで支持される少なくとも１つのプラットフォームであって、その少なくとも部分が光を透過するように構成される少なくとも１つのプラットフォームと、
前記回転式のプラットフォームの前記少なくとも部分を通じて上向きに光を放射する少なくとも１つの光源と、
前記ハウジングの外部にある環状凹部であって、直立軸の周りに延在する凹面を有する環状凹部と、
前記ハウジングから突出し且つ前記プラットフォームの周りに円周状に延在するように構成される少なくとも１つのフレームであって、前記凹面と相補的であり且つ前記凹面の上に載るように構成される支持面を有する少なくとも１つのフレームと、
前記プラットフォーム又は前記少なくとも１つの光源を前記直立軸の周りで回転させるモータと、
前記少なくとも１つの光源及び前記モータに接続される電源とを含む、
照明装置。
【請求項２】
前記ハウジングの上部と前記プラットフォームとの間で、前記ハウジングの上部に載る取外し可能なシートを更に含み、該取外し可能なシートは、前記ハウジングに対する前記プラットフォームの独立した回転のために前記プラットフォームを支持する、請求項１に記載の照明装置。
【請求項３】
前記取外し可能なシートは、前記少なくとも１つの光源を受け入れるランプ受入れ開口を含み、且つ少なくとも１つの軸受要素を支持し、前記プラットフォームは、前記軸受要素の上に載る、請求項２に記載の照明装置。
【請求項４】
前記取外し可能なシートは、前記ハウジングの上部の外縁から径方向に外に突出し、前記少なくとも１つの軸受要素は、前記ハウジングの前記上部の前記外縁の外側に配置される、請求項３に係る照明装置。
【請求項５】
前記少なくとも１つの軸受要素は、同等のボールのアレイを含み、各ボールは、前記プラットフォームの下面に当接する、請求項２乃至４のうちのいずれか１項に記載の照明装置。
【請求項６】
前記アレイは、２つの同心状の円を含み、前記ボールの各々は、前記２つの同心状の円の上に位置する、請求項５に係る照明装置。
【請求項７】
前記少なくとも１つのフレームは、前記環状凹部内に受け入れられる小さなリムから大きなリムに外向き及び上向きに先細る、概ね切頭円錐形の形態を有する、請求項１乃至６のうちのいずれか１項に記載の照明装置。
【請求項８】
前記少なくとも１つのフレームは、半透明材料で構成される、請求項７に記載の照明装置。
【請求項９】
前記小さなリムは、円形であり、前記大きなリムは、楕円形であり、ある傾斜角で前記フレームの軸に対して斜めに傾斜された平面内に位置する、請求項７又は８に記載の照明装置。
【請求項１０】
前記少なくとも１つのフレームは、前記傾斜角が大きい第１のフレームと、該第１のフレームと交換可能であり且つ前記傾斜角が小さい、第２のフレームとを含み、前記少なくとも１つのプラットフォームは、前記第１のフレームによって取り囲まれるように構成される小さな円形のプラットフォームと、前記第２のフレームによって取り囲まれる、前記第１のプラットフォームと交換可能な、より大きな円形のプラットフォームとを含む、請求項９に記載の照明装置。
【請求項１１】
少なくとも１つの光変更部材と、該光変更部材を支持し且つ位置決めするように構成される前記プラットフォームの上面とを更に含む、請求項７乃至１０のうちのいずれか１項に記載の照明装置。
【請求項１２】
前記少なくとも１つの光変更部材は、その一方が前記プラットフォームの前記上面に当接し、その他方が前記プラットフォームによって支持されるディスプレイアイテムを支持してよい、対向する平行な表面を備える、薄い環状部材を含み、前記プラットフォームのハブ部における軸方向突起は、前記光変更部材を位置決めするために前記光変更部材の中央に受け入れられる、請求項１１に記載の照明装置。
【請求項１３】
前記少なくとも１つの光変更部材は、異なる色で塗装された複数の薄い金属リングを含む、請求項１１又は１２に記載の照明装置。
【請求項１４】
前記取外し可能なシートは、前記小さなリムの直径よりも大きな直径を有する、請求項７乃至１３のうちのいずれか１項に記載の照明装置。
【請求項１５】
前記ハウジングは、第１の部分と、第２の部分とを含む、成形プラスチックの２つの部分で構成される構造であり、前記第１の部分の上には、前記上部及び環状凹部が形成され、前記第１の部分は、前記ハウジング室を定め、前記第２の部分は、前記第１の部分に固定されて、前記ハウジング室のための閉鎖部を形成する、請求項１乃至１４のうちのいずれか１項に記載の照明装置。
【請求項１６】
当該照明装置は、前記直立軸の周りで回転し且つ前記モータから前記プラットフォームにトルクを伝達するよう支持される、駆動シャフトを更に含み、該駆動シャフトは、前記ハウジングの第２の半体にある盲開口内で支持され、当該照明装置は、前記駆動シャフトと一体的に形成された第１の歯車を更に含む、請求項１乃至１５のうちのいずれか１項に記載の照明装置。
【請求項１７】
前記モータは、前記駆動シャフトと平行な出力シャフトと、該出力シャフトに固定され且つ前記第１の歯車と噛み合う第２の歯車とを有する、請求項１６に記載の照明装置。
【請求項１８】
前記少なくとも１つの光源は、複数のＬＥＤを含み、各ＬＥＤは、前記ハウジングの上部から突出し、前記シートにあるそれぞれのランプ受入れ開口との位置合わせのために位置付けられ、前記ＬＥＤは、多数の異なる色を発する、請求項２乃至１７のうちのいずれか１項に記載の照明装置。
【請求項１９】
前記ＬＥＤの半分は、第１の円形アレイ内で前記直立軸の付近に配置され、前記ＬＥＤの半分は、前記第１の円形アレイの径方向外側に配置される、請求項１８に記載の照明装置。
【請求項２０】
前記プラットフォームは、半透明材料で形成される、請求項１乃至１９のうちのいずれか１項に記載の照明装置。
【請求項２１】
前記プラットフォームは、前記プラットフォームの上面と下面との間に延在する、同等の直径の複数の円形孔を更に含む、請求項２０に記載の照明装置。
【請求項２２】
当該照明装置は、複数の取付け固定具を更に含み、各取付け固定具は、前記円形孔と相補的な形態の固定部を備え、それにより、前記取付け固定具は、ディスプレイアイテムを支持するために前記プラットフォームに取り外し可能に取り付けられてよい、請求項２１に記載の照明装置。
【請求項２３】
前記プラットフォームは、前記上面に形成される一対の平行な通路を更に含む、請求項２０に記載の照明装置。
【請求項２４】
当該照明装置は、下方端にある突出フランジと、反対側の上方端に近接して蝶番式に固定される脚部とを備える、長方形の本体を含む、書物支持体を更に含み、前記本体の前記下方端及び前記脚部は、各々が前記通路のそれぞれの１つに受け入れられるように構成される、平行に突出する足部を含む、請求項２３に記載の照明装置。
【請求項２５】
前記プラットフォーム上で支持され、前記少なくとも１つの光源からの照明の下で輝く、クリスタル、青金石又はガラスのオブジェクトを更に含む、請求項１乃至２４のうちのいずれか１項に記載の照明装置。
【請求項２６】
前記オブジェクトは、蝋燭の固体ガラス演出であり、その上部に炎状構造を備える円筒形の本体を含む、請求項２５に記載の照明装置。
【請求項２７】
前記炎状構造は、透明な無色ガラスで作られてよい、請求項２６に記載の照明装置。
【請求項２８】
前記炎状構造は、着色ガラス、好ましくは、黄色及び赤色の両方の着色ガラスで作られてよい、請求項２６項に記載の照明装置。
【請求項２９】
前記オブジェクトは、
ａ）虎の頭の形状のつまみを有する蓋を備える、着色ラテックス懸濁液及び／又は香油で満たされた固体ガラス茶瓶、或いは、
ｂ）ガラス椀
である、
請求項２５に記載の照明装置。
【考案の詳細な説明】
【技術分野】
【０００１】
本考案は、一般的には、光源に関し、より具体的には、特にディスプレイアイテム（表示品目）上で、視覚的に楽しい光の遊び(play  of  light)を提供する、照明装置に関する。
【背景技術】
【０００２】
クリスタル、彫像、磁器の小立像、翡翠の彫刻、宝石類、時計、花のような、貴重なオブジェクト（物体）を見る楽しさを高める照明効果及び光パターンを提供する、照明装置の要求が絶えずある。しかしながら、典型的には、これらのディスプレイ装置における光源は、より刺激的で楽しい視覚的効果をもたらすであろう、ディスプレイアイテム自体を照らすこと又は照明効果のためにディスプレイアイテム自体を通して光を投射することを伴わずに、ディスプレイアイテムから外向きに光を発するように位置付けられる。従来技術のディスプレイ装置は多様性（汎用性）も欠き、異なる種類及び大きさのアイテムの両方を照らすよう並びに異なる方法でそれらを照らすように再構成可能でなく或いは容易に再構成可能でない。上述の不利点を克服し或いは実質的に改善すること、より一般的には、改良された照明装置を提供することが、本考案の目的である。
【考案の概要】
【０００３】
本考案の１つの特徴によれば、
ハウジング室を定めるハウジングと、
ハウジングで支持される少なくとも１つのプラットフォームであって、その少なくとも部分が光を透過するように構成される少なくとも１つのプラットフォームと、
回転式プラットフォームの少なくとも部分を通じて上向きに光を放射する少なくとも１つの光源と、
ハウジングの外部にある環状凹部であって、直立軸の周りに延在する凹面を有する環状凹部と、
ハウジングから突出し且つプラットフォームの周りに円周状に延在するように構成される少なくとも１つのフレームであって、凹面と相補的であり且つ凹面の上に載るように構成される支持面を有する少なくとも１つのフレームと、
プラットフォーム又は少なくとも１つの光源を直立軸の周りで回転させるモータと、
少なくとも１つの光源及びモータに接続される電源とを含む、
照明装置が提供される。
【０００４】
好ましくは、照明装置は、ハウジングの上部とプラットフォームとの間に、ハウジングの上部に載る取外し可能なシートを更に含み、取外し可能なシートは、ハウジングに対するプラットフォームの独立した回転のためにプラットフォームを支持する。
【０００５】
好ましくは、取外し可能なシートは、少なくとも１つの光源を受け入れるランプ受入れ開口を含み、少なくとも１つの軸受要素を支持し、プラットフォームは、前記軸受要素の上に載る。
【０００６】
好ましくは、取外し可能なシートは、ハウジングの上部の外縁から径方向に外に突出し、少なくとも１つの軸受要素は、ハウジングの上部の外縁の外側に配置される。
【０００７】
好ましくは、少なくとも１つの軸受要素は、同等のボールのアレイを含み、各ボールは、プラットフォームの下面に当接する。
【０００８】
好ましくは、アレイは、２つの同心状の円を含み、２つの同心状の円の上に、ボールの各々が位置する。
【０００９】
好ましくは、少なくとも１つのフレームは、環状凹部内に受け入れられる小さなリムから大きなリムに外向き及び上向きに先細る、概ね切頭円錐形の形態を有する。
【００１０】
好ましくは、少なくとも１つのフレームは、半透明材料で構成される。
【００１１】
好ましくは、小さなリムは、円形であり、大きなリムは、楕円形であり、ある傾斜角でフレームの軸に対して斜めに傾斜された平面内に位置する。
【００１２】
好ましくは、少なくとも１つのフレームは、傾斜角が大きい第１のフレームと、第１のフレームと交換可能であり、傾斜角が小さい、第２のフレームとを含み、少なくとも１つのプラットフォームは、第１のフレームによって取り囲まれるように構成される小さな円形のプラットフォームと、第２のフレームによって取り囲まれる、第１のプラットフォームと交換可能な、より大きな円形のプラットフォームとを含む。
【００１３】
好ましくは、照明装置は、少なくとも１つの光変更部材と、光変更部材を支持し且つ位置決めするように構成されるプラットフォームの上面とを更に含む。
【００１４】
好ましくは、少なくとも１つの光変更部材は、その一方がプラットフォームの上面に当接し、その他方がプラットフォームによって支持されるディスプレイアイテムを支持してよい、対向する平行な表面を備える、薄い環状部材を含み、プラットフォームのハブ部における軸方向突起は、光変更部材を位置決めするために光変更部材の中央に受け入れられる。
【００１５】
光変更部材は、（例えば、金属、ポリマ膜又は織物からなる）単一のシート又は薄層（ラミネート）を含んでよい。シートは着色されてよく、且つ／或いは、異なる透光性(translucence)及び透明性(transparency)の背景（バックグラウンド）及びパターンを有してよい。光変更部材は、光源から発せられる光が光変更材料に基づく色及び／又は光パターンを投射するよう、プラットフォーム上に位置付けられる。動作中、照明装置から発せられる光は、異なる透光特性及び透明特性光変更部材及びプラットフォームを通じて進んで、異なる照明効果を提供し、表面損傷を防止し且つすべりを避けるようディスプレイアイテムを支持するマット(mat)も有利に提供することがある。
【００１６】
好ましくは、少なくとも１つの光変更部材は、異なる色で塗装された複数の薄い金属リングを含む。
【００１７】
好ましくは、取外し可能なシートは、小さなリムの直径よりも大きな直径を有する。
【００１８】
好ましくは、ハウジングは、第１の部分と、第２の部分とを含む、成形プラスチックの２つの部分で構成される構造(two-piece  construction)であり、第１の部分の上には、上部及び環状凹部が形成され、第１の部分は、ハウジング室を定め、第２の部分は、第１の部分に固定されて、ハウジング室のための閉鎖部(closure)を形成する。
【００１９】
好ましくは、照明装置は、直立軸の周りで回転し且つモータからプラットフォームにトルクを伝達するよう支持される駆動シャフトを更に含み、駆動シャフトは、ハウジングの第２の半体にある盲開口内で支持され、照明装置は、駆動シャフトと一体的に形成された第１の歯車を更に含む。
【００２０】
好ましくは、モータは、駆動シャフトと平行な出力シャフトと、出力シャフトに固定され且つ第１の歯車と噛み合う第２の歯車とを有する。
【００２１】
好ましくは、少なくとも１つの光源は、複数のＬＥＤを含み、各ＬＥＤは、ハウジングの上部から突出し、シートにあるそれぞれのランプ受入れ開口との位置合わせのために位置付けられ、ＬＥＤは、多数の異なる色を発する。
【００２２】
好ましくは、ＬＥＤの半分は、第１の円形アレイ（配列）において直立軸の付近に配置され、ＬＥＤの半分は、第１の円形アレイの径方向外側に配置される。
【００２３】
好ましくは、プラットフォームは、半透明材料で形成される。
【００２４】
好ましくは、プラットフォームは、プラットフォームの上面と下面との間に延在する同等の直径の複数の円形孔を更に含む。
【００２５】
好ましくは、照明装置は、複数の取付け固定具を更に含み、各取付け固定具は、円形孔と相補的な形態の固定部を備え、それにより、取付け固定具は、ディスプレイアイテムを支持するためにプラットフォームに取り外し可能に取り付けられてよい。
【００２６】
好ましくは、プラットフォームは、上面に形成される一対の平行な通路を更に含む。
【００２７】
好ましくは、照明装置は、下方端にある突出フランジと、反対側の上方端に近接して蝶番式に固定される脚部とを備える、長方形の本体を含む、書物支持体を更に含み、本体の下方端及び脚部は、各々が通路のそれぞれの１つに受け入れられるように構成される、平行に突出する足部を含む。
【００２８】
好ましくは、照明装置は、プラットフォーム上で支持され、少なくとも１つの光源からの照明の下で輝く、クリスタル、青金石又はガラスのオブジェクトを更に含む。オブジェクトは、蝋燭の固体ガラス演出であってよく、それは、その上部に炎状構造を備える円筒形の本体を含む。炎状構造は、透明な無色ガラスで作られてよく、着色（有色）ガラス、好ましくは、黄色及び赤色の両方の着色ガラスで作られてよい。代替的に、オブジェクトは、固体ガラス茶瓶又はガラス椀であってよい。
【００２９】
他の特徴において、本考案は、実質的に上述のような照明装置を用いてディスプレイオブジェクトを照らす方法を含み、
当該方法は、
フレームを環状凹部内に落として、フレームをハウジング上に載せること、
プラットフォームをフレーム内に挿入すること、
ディスプレイオブジェクトをフレーム上に配置すること、並びに
ディスプレイオブジェクトを同時に照明し且つ回転させるために、モータ及び少なくとも１つの光源に動力供給することを含む。
【００３０】
任意的に、ディスプレイオブジェクトは、蝋燭の固体ガラス演出を含み、それは、その上部に炎状構造を備える円筒形本体を含む。炎状構造は、透明な無色ガラスで作られてよく、或いは、黄色及び赤色の両方の着色ガラスで作られてよい。
【００３１】
任意的に、方法は、開口の開閉を通じて、ディスプレイオブジェクト内の空洞を着色液体で満たすことを更に含んでよい。着色溶液は、着色ラテックス粒子の水性懸濁液を含んでよい。
【００３２】
本考案は、操作上の使用において効果的且つ効率的な照明装置を提供し、それは、そのモジュール構造によって、容易な再構成及び改良された多様性（汎用性）をもたらす。照明は、製造コストを最小にし且つ性能を最大にする全体的に見て簡単な設計を有する。
【００３３】
次に、添付の図面を参照して、一例として、本考案の好適な形態を記載する。
【図面の簡単な説明】
【００３４】
【図１】本考案に従った照明装置を上から見た図である。
【図２】図１の装置を通じる直立中心平面における断面図である。
【図３】図１の装置のフレームを上から見た図である。
【図４】ハウジングを示すよう部分的に分解された図１の装置を上から見た図である。
【図５】シートを示すよう部分的に分解された図１の装置を上から見た図である。
【図６】図１の装置の固定具の図である。
【図７】図１の装置の書物支持体の図である。
【図８】図１の装置の上に支持された蝋燭のガラス演出の図である。
【図９】図１の装置の上に支持されたガラス茶瓶の図である。
【図１０】本考案の他の実施態様に従った照明装置を通じる直立中心平面における断面図である。
【考案を実施するための形態】
【００３５】
図１及び図２を参照すると、本考案の１つの実施態様に従った、参照番号１０によって概ね示された、照明装置が示されている。照明装置１０は、ハウジング室１３を定めるハウジング１２と、プラットフォーム１４と、少なくとも１つの光源１５と、フレーム１６と、プラットフォーム１４を回転させるモータ１７とを含む。
【００３６】
ハウジング１２は、２つの成形されたプラスチック部品１１２，２１２のアセンブリ（組立体）であってよい。第１の部品１１２は、概ね最上部にあり、使用中に見えるように露出される。第１の部品１１２のキャビティが、ハウジング室１３を定める。皮革層が第１の部品１１２の外面に任意的に設けられて、装置を視覚的により魅力的にしてよい。第２の部品２１２は、第１の部品１１２に固定され、ハウジング室１３の下方端のための閉鎖部を形成する。ハウジング１２は、中心軸１８が直立であるように、水平面上でハウジング１２を支持するために第２の部品２１２上に脚（図示せず）を含んでよい。本明細書で用いるとき、「軸方向」(“axial”)という用語は、中心軸１８と実質的に平行な方向を指す。「径方向」(“radial”)という用語は、中心軸１８と実質的に直交する方向を指す。「円周方向」(“circumferential”)という用語は、中心軸１８と実質的に直交する半径を有する円弧の方向を指す。
【００３７】
第１の部品１１２は、軸１８の周りに円周方向に延在する概ね上向き開口する凹面２２を有する外部環状凹部２１を形成するリング壁によって接合される、概ね切頭円錐形の側壁１９及び同軸ディスク状の上部２０(top)を含んでよい。少なくとも１つの光源は、多数の異なる色の複数のＬＥＤ１５を含んでよく、各ＬＥＤは、ハウジングの上部２０のそれぞれの開口を通じて突出する。モータ１７は、ハウジング１３内に配置され、バッテリ２３の形態の電源が、同様にハウジング室１３内に配置されてよい。
【００３８】
プラットフォーム１４は、実質的にディスク形状であり、プラットフォーム全体が光を透過するように構成されるよう、半透明材料で形成されてもよい。駆動シャフト２６の端を受け入れるために、中央貫通延長開口部２５が軸１８に設けられてよい。プラットフォーム１４は、プラットフォーム１４の上面３１(upper  face)と下面３２(lower  face)との間に延びる同等の直径の複数の円形孔２８を更に含んでよい。プラットフォーム１４は、上面３１上の仮想円２７に対して接線方向にあり且つ互いに平行である、上面３１に形成された一対の通路２９，３０を更に含んでもよい。小さな円形軸方向突起３３が、上面３１から上方に突出して、プラットフォームのハブ部に設けられてよい。
【００３９】
装置は、上部２０とプラットフォーム１４との間に、ハウジング１２の上部２０に載る取外し可能なシート３４を更に含んでよい。シート３４は、ボール３５の形態の軸受要素を有し、各ボール３５は、プラットフォーム１４の下面３２に当接して、ハウジング１２に対する軸１８についての独立した回転のためにプラットフォーム１４を支持する。ボール３５は、２つの同心円の周りに配列されてよい。図５では、６つのボール３５が外側の円に配置され、３つの角度的に離間させられたボール３５が内側の円に配置される。ボール３５は、好ましくは、スチール製である。より大きな程度の支持を提供するために、取外し可能なシート３４は、上部２０の外縁３６から径方向に突出し、２つの同心円の最大におけるボール３５は、片持ち式に支持されて、外縁３６の外側に配置されている。駆動シャフト２６の端を受け入れ、それが自由に回転するのを可能にするために、貫通延長開口が、取外し可能なシート３４の中央に設けられている。取外し可能なシート３４は、ＬＥＤ１５との位置合わせのために位置付けられた複数の貫通延長ランプ受入れ開口を更に含んでよい。
【００４０】
駆動シャフト２６は、直立軸１８について回転して、モータ１７からプラットフォーム１４にトルクを伝達するよう、支持されている。駆動シャフト２６は、ハウジングの第２の半体２１２にある盲開口３８内で支持され、それと一体的に形成された第１の歯車３９を更に含む。モータ１７の出力軸４０が駆動シャフト３６と平行であり、第２の歯車４１が出力シャフト４０に固定され、第１の歯車３９と噛み合うことで、歯車３９，４１はモータ１７とプラットフォーム１４との間でトルクを伝達する。
【００４１】
フレーム１６は、プラットフォームの周囲を取り囲み、その保護機能に加えて、それは入射光を拡散させる働きをする。フレーム１６は、環状凹部２１内に受け入れられる小さなリム４２から大きなリム４３に外向きに及び上向きに先細る概ね切頭円錐形を備える、半透明材料で形成されてよい。フレーム１６は、凹面２２と相補的な切頭円錐形の支持面６５を備え且つ凹面２２に載るように構成された、下方部６６を有する。フレーム１６は、支持面６５に形成された対応する開口によって受け入れられるように構成された一体的なラグ６８を含んでよい。これは、フレーム１６がハウジング１２の上に落とされるときに、フレーム１６の自動位置決めをもたらす。小さいリム４２は円形であり、大きいリム４３は楕円形であり、傾斜角４４で軸１８に対して斜めに傾斜した平面（図示せず）に位置している。
【００４２】
異なる大きさ及び形状のディスプレイオブジェクト（表示物体）に順応するために、照明装置１０はモジュール式であり、少なくとも２つの異なる交換可能なフレーム及びプラットフォームを含む。２つのフレームは、傾斜角４４が大きいフレーム１６と、第１のフレーム１６と交換可能であり、傾斜角が角度４４よりも小さい、第２のフレーム１１６とを含んでよい。互換性のために、図３に示す第２のフレーム１１６は、凹面２２と相補的な切頭円錐形の支持面を備える同等の下方部６６を有する。より小さな傾斜角に加えて、第２のフレーム１１６の最大直径寸法は、フレーム１６の最大直径寸法よりも小さい。より小さなフレーム１１６によって囲まれるような大きさとされて、より小さな円形のプラットフォーム（図示せず）が、より小さなディスプレイアイテム（表示品目）を照らすときに使用するために、プラットフォーム１４に取って代わってよい。
【００４３】
照明効果を高めるために、装置は、薄い環状の形態の複数の交換可能な光変更部材４５を更に含む。光変更部材４５は、対向する平行な表面４６，４７を有し、それらのうちの一方は、上面３１に当接し、それらのうちの他方は、プラットフォームによって支持されるディスプレイアイテム（表示品目）を支持してよい。軸方向突起３３は、１つの光変更部材４５を位置決めするために、光変更部材４５の中心に受け入れられる。光変更部材４５は、異なる色で塗装された金属リングであってよく、所望の効果に従って、単一の光変更部材４５が選択され、プラットフォームに取り付けられる。
【００４４】
図４は、プラットフォーム１４と、シート３４及びフレーム１６が取り外された、装置を例示しており、ハウジング１２の第１の部分１１２、具体的には、上部２０及びその突出したＬＥＤ１５を示している。ＬＥＤ１５のうちの８つは、第１の円形アレイ（配列）内で直立軸１８付近に配置されてよく、他の８つのＬＥＤは、第２の円形アレイ（配列）内で第１の円形アレイの半径方向外側に配置されてよい。ＬＥＤの角度間隔は、第１の円形アレイ内では等しくてよく、第２の円形アレイ内では等しくなくてよい。
【００４５】
図５は、プラットフォーム１４及びフレーム１６のない状態で、ハウジング１２に取り付けられたシート３４を示しており、ＬＥＤ１５は、それらのそれぞれのランプ受入れ開口を通じて見えている。
【００４６】
プラットフォーム１４にある円形孔２８と協働する取付け固定具５０が図６に示されている。固定具５０がプラットフォーム１４に取り外し可能に取り付けられてよいように、各固定具５０は円形孔と相補的な形態の固定部５１を有する。固定具５０は、ディスプレイアイテムを支持する枠組（フレームワーク）を組み立てるための他の部材（図示せず）の解除可能な(releasable)取付けのために、異なる向きのファスナアーム５２，５３，５４を含む。
【００４７】
書物支持体５５が、プラットフォーム１４の上に載った状態で図７に示されている。書物支持体５５は、下方端に突出フランジ５７を備える長方形の本体５６を有する。脚部５９が、反対側の上方端６０に近接して蝶番式に固定されている。下方端５８及び脚部５９は、平行な突出足部を含み、それぞれの足部は、書物支持体５５をプラットフォームの上で位置決めするために、通路２９，３０のそれぞれの１つに受け入れられるように構成されている。
【００４８】
図８は、蝋燭の固体ガラス演出(solid  glass  representation)の形態の例示的なディスプレイオブジェクト７０を示している。それはその上部に炎状構造７２を備える円筒形本体７１を含む。本体７１及び炎状構造７２の両方は、透明な無色ガラスで作られてよい。円筒形本体７１の中心に位置する空洞７３が、赤色ラテックス粒子の水性懸濁液で満たされている。プラットフォーム１４の中心に配置され、ラテックス懸濁液からオブジェクト７０を照らすＬＥＤ１５が赤色に輝くと、炎状構造７２は、交互の多色光(alternating  multi-colored  lights)の使用の故に、揺らめく赤色の輝き(flickering  red  glow)を帯びる。
【００４９】
図９は、固体ガラス茶瓶（ティーポット）の形態の例示的なディスプレイオブジェクト７５を示している。ディスプレイオブジェクト７５は、一端から延びるハンドル７７と他端から延びる注口７８とを備える概ね丸い本体７６を含む。（虎の頭のような形状の）つまみ８０を備える蓋７９が本体７６の上部に設けられている。本体７６は透明無色ガラスで作られてよく、蓋７９及びつまみ80は透明な着色（有色）ガラスで作られてよい。本体７６の空洞は、赤及び青のラテックス粒子の水性懸濁液で満たされる。プラットフォーム１４の中心に配置され、ＬＥＤ１５がオブジェクト７５を下から照らすと、ラテックス懸濁液は混合された赤及び青の輝きを帯びる。
【００５０】
照明装置１０はモジュール構造を有し、様々な異なる種類及び大きさのディスプレイオブジェクトに順応するよう、或いはディスプレイオブジェクトが存在しないときに卓上ランプ(table  lamp)を提供するよう、異なる構成において容易に分解され且つ再組み立てされてよい。
【００５１】
第１に、フレーム１６，１１６のうちの１つを選択し、その下方部６６を、上部２０を通り越して、環状凹部２１内に落下させ、フレームをハウジング１２の上に載せる。フレーム及びハウジング１２の突起及び相補的な開口は、フレームを軸１８について角度的に整列させるために設けられてよい。フレーム１６，１１６がこのように配置された状態で、プラットフォーム１４の１つが取外し可能なシート３４の上に積み重ねられたフレーム内に挿入される（プラットフォーム１４がフレーム１６内に挿入される或いはより小さなプラットフォームがフレーム１１６内に挿入される）前に、取外し可能なシート３４は、ＬＥＤ１５をランプ受入れ開口と整列するよう方向付けられ、上部２０の上に下降される。次に、ディスプレイオブジェクトを支持する基本的な組立て（アセンブリ）は、光変更部材４５を選択し、軸方向突起３３が光変更部材４５の中心に受け入れられた状態で光変更部材４５をプラットフォームの上に載せることによって、完了される。次に、ディスプレイオブジェクト７０，７５は、プラットフォーム１４の上に、光変更部材の上に配置されてよい。スイッチの作動がモータ及びＬＥＤを同時に始動させ、オブジェクト７０，７５を照らし且つ回転させるよう、スイッチ（図示せず）がハウジング１２に設けられ、回路内で電源に接続されてよい。
【００５２】
さもなければ、表示されるべきオブジェクトに依存して、枠組（フレームワーク）を組み立てて表示されるべきオブジェクトを支持してよく、枠組はプラットフォーム１４の円形孔２８内に固定される固定部５１を備える取付け固定具を含む。書物が表示されるならば、書物を本体５６及び突出フランジ５７の上に載せる前に、書物支持体５５は、その足部が通路２９，３０に受け入れられた状態で、プラットフォーム上に配置される。
【００５３】
図１０は、本考案の他の実施態様に従った、参照番号１０’によって概ね示された照明装置を示している。図１０では、環状スラスト軸受９０が、プラットフォーム１４’の回転を支持するために、プラットフォーム１４’の下面の環状面と上面２０’との間に配置されている。隙間が、シート３４’上に配置された半球形突起３５’とプラットフォーム１４’の下面との間に形成されている。よって、プラットフォーム１４’のための支持は、図２における支持と比較すると、中心軸１８’のより近くに配置されている。フレーム１６’をハウジング１２’と係止するために、雄及び雌の連結構成（図示せず）、例えば、相補的な突起及び凹部が、表面２２’及び表面６５’にそれぞれ設けられてよい。
【００５４】
各孔がそれぞれの歯車３９’，４１’のシャフトを受け入れる、２つの孔を備える蓋９２が、２つの歯車３９’，４１’が一緒に保持されるように設けられている。プラットフォーム１４’の上面３１’の仮想円２７’の表面が、上面３１’の環状溝を形成するよう、隆起させられている。鏡面又は金色面を備える適切な大きさのディスク（図示せず）が、光の遊びを変更するために環状溝内に取り付けられてよい。照明装置１０’の他の部分は、図１の装置１０の他の部分と類似する。
【００５５】
本考案の特徴が一例として記載されているに過ぎず、その範囲を逸脱することなく、変更及び追加が可能であることが理解されるべきである。
【符号の説明】
【００５６】
１０    照明装置  (illumination  apparatus)
１０’  照明装置  (illumination  apparatus)
１２    ハウジング  (housing)
１２’  ハウジング  (housing)
１３    ハウジング室  (housing  chamber)
１４    プラットフォーム  (platform)
１４’  プラットフォーム  (platform)
１５    ＬＥＤ  (LEDs)
１６    フレーム／第１のフレーム  (frame／first  frame)
１６’  フレーム  (frame)
１７    モータ  (motor)
１８    中心軸／直立軸  (central  axis／upright  axis)
１８’  中心軸  (central  axis)
１９    切頭円錐形の側壁  (frusto-conical  side  walls)
２０    同軸ディスク状上部  (coaxial  disc-like  top)
２０’  上部  (top)
２１    環状凹部  (annular  recess)
２２    凹面  (concave  surface)
２２’  表面  (surface)
２３    バッテリ  (battery)
２５    中央貫通延長開口  (central  through-extending  opening)
２６    駆動軸  (drive  shaft)
２７    仮想円  (imaginary  circle)
２７’  仮想円  (imaginary  circle)
２８    円形孔  (circular  apertures)
２９    通路  (channel)
３０    通路  (channel)
３１    上面  (upper  face)
３１’  上面  (upper  face)
３２    下面  (lower  face/underside)
３３    円形軸方向突起  (circular  axial  projection)
３４    取外し可能なシート  (demountable  seat)
３４’  シート  (seat)
３５    ボール  (balls)
３５’  半球形突起  (hemispherical  protrusions)
３６    外縁  (outer  edge)
３８    盲開口  (blind  opening)
３９    第１の歯車  (first  gear)
３９’  歯車  (gear)
４０    出力シャフト  (output  shaft)
４１    第２の歯車  (second  gear)
４１’  歯車  (gear)
４２    小さなリム  (small  rim)
４３    大きなリム  (large  rim)
４４    傾斜角  (inclination  angle)
４５    光変更部材  (light-altering  members)
４６    表面  (surface)
４７    表面  (surface)
５０    取付け固定具  (mounting  fixture)
５１    固定部  (fixing  part)
５５    書物支持体  (book  support)
５６    本体  (body)
５７    突出フランジ  (projecting  flange)
５８    下方端  (lower  end)
５９    脚部  (leg)
６０    上方端  (upper  end)
６５    支持面  (support  surface)
６５’  表面  (surface)
６６    下方部  (lower  part)
６８    ラグ  (lugs)
７０    ディスプレイオブジェクト  (display  object)
７１    円筒形本体  (cylindrical  body)
７２    炎状構造  (flame-like  structure)
７３    空洞  (cavity)
７５    ディスプレイオブジェクト  (display  object)
７６    本体  (body)
７７    ハンドル  (handle)
７８    注口  (spout)
７９    蓋  (lid)
８０    つまみ  (knob)
９０    環状スラスト軸受  (annular  thrust  bearing)
１１２  プラスチック部品／第１の部分  (plastic  part／first  part)
１１６  第２のフレーム  (second  frame)
２１２  プラスチック部品／第２の部分／第２の半体  (plastic  part／second  part／second  half)
【図１】
0003214527.tif 000003
【図２】
0003214527.tif 000004
【図３】
0003214527.tif 000005
【図４】
0003214527.tif 000006
【図５】
0003214527.tif 000007
【図６】
0003214527.tif 000008
【図７】
0003214527.tif 000009
【図８】
0003214527.tif 000010
【図９】
0003214527.tif 000011
【図１０】
0003214527.tif 000012
【手続補正書】
【提出日】平成29年11月20日(2017.11.20)
【手続補正１】
【補正対象書類名】実用新案登録請求の範囲
【補正対象項目名】全文
【補正方法】変更
【補正の内容】
【実用新案登録請求の範囲】
【請求項１】
ハウジング室を定めるハウジングと、
該ハウジングで支持される少なくとも１つのプラットフォームであって、その少なくとも部分が光を透過するように構成される少なくとも１つのプラットフォームと、
前記プラットフォームの前記少なくとも部分を通じて上向きに光を放射する少なくとも１つの光源と、
前記ハウジングの外部にある環状凹部であって、直立軸の周りに延在する凹面を有する環状凹部と、
前記ハウジングから突出し且つ前記プラットフォームの周りに円周状に延在するように構成される少なくとも１つのフレームであって、前記凹面と相補的であり且つ前記凹面の上に載るように構成される支持面を有する少なくとも１つのフレームと、
前記プラットフォーム又は前記少なくとも１つの光源を前記直立軸の周りで回転させるモータと、
前記少なくとも１つの光源及び前記モータに接続される電源とを含む、
照明装置。
【請求項２】
前記ハウジングの上部と前記プラットフォームとの間で、前記ハウジングの上部に載る取外し可能なシートを更に含み、該取外し可能なシートは、前記ハウジングに対する前記プラットフォームの独立した回転のために前記プラットフォームを支持する、請求項１に記載の照明装置。
【請求項３】
前記取外し可能なシートは、前記少なくとも１つの光源を受け入れるランプ受入れ開口を含み、且つ少なくとも１つの軸受要素を支持し、前記プラットフォームは、前記軸受要素の上に載る、請求項２に記載の照明装置。
【請求項４】
前記取外し可能なシートは、前記ハウジングの上部の外縁から径方向に外に突出し、前記少なくとも１つの軸受要素は、前記ハウジングの前記上部の前記外縁の外側に配置される、請求項３に係る照明装置。
【請求項５】
前記少なくとも１つの軸受要素は、同等のボールのアレイを含み、各ボールは、前記プラットフォームの下面に当接する、請求項３又は４に記載の照明装置。
【請求項６】
前記アレイは、２つの同心状の円を含み、前記ボールの各々は、前記２つの同心状の円の上に位置する、請求項５に係る照明装置。
【請求項７】
前記少なくとも１つのフレームは、前記環状凹部内に受け入れられる小さなリムから大きなリムに外向き及び上向きに先細る、概ね切頭円錐形の形態を有する、請求項２乃至６のうちのいずれか１項に記載の照明装置。
【請求項８】
前記少なくとも１つのフレームは、半透明材料で構成される、請求項７に記載の照明装置。
【請求項９】
前記小さなリムは、円形であり、前記大きなリムは、楕円形であり、ある傾斜角で前記フレームの軸に対して斜めに傾斜された平面内に位置する、請求項７又は８に記載の照明装置。
【請求項１０】
前記少なくとも１つのフレームは、前記傾斜角が大きい第１のフレームと、該第１のフレームと交換可能であり且つ前記傾斜角が小さい、第２のフレームとを含み、前記少なくとも１つのプラットフォームは、前記第１のフレームによって取り囲まれるように構成される小さな円形のプラットフォームと、前記第２のフレームによって取り囲まれる、前記小さな円形のプラットフォームと交換可能な、より大きな円形のプラットフォームとを含む、請求項９に記載の照明装置。
【請求項１１】
少なくとも１つの光変更部材と、該光変更部材を支持し且つ位置決めするように構成される前記プラットフォームの上面とを更に含む、請求項７乃至１０のうちのいずれか１項に記載の照明装置。
【請求項１２】
前記少なくとも１つの光変更部材は、その一方が前記プラットフォームの前記上面に当接し、その他方が使用中に前記プラットフォームによって支持されるディスプレイアイテムを支持する、対向する平行な表面を備える、薄い環状部材を含み、前記プラットフォームのハブ部における軸方向突起は、前記光変更部材を位置決めするために前記光変更部材の中央に受け入れられる、請求項１１に記載の照明装置。
【請求項１３】
前記少なくとも１つの光変更部材は、異なる色で塗装された複数の薄い金属リングを含む、請求項１１又は１２に記載の照明装置。
【請求項１４】
前記取外し可能なシートは、前記小さなリムの直径よりも大きな直径を有する、請求項７乃至１３のうちのいずれか１項に記載の照明装置。
【請求項１５】
前記ハウジングは、第１の部分と、第２の部分とを含む、成形プラスチックの２つの部分で構成される構造であり、前記第１の部分の上には、前記上部及び環状凹部が形成され、前記第１の部分は、前記ハウジング室を定め、前記第２の部分は、前記第１の部分に固定されて、前記ハウジング室のための閉鎖部を形成する、請求項２乃至６のうちのいずれか１項に記載の照明装置。
【請求項１６】
当該照明装置は、前記直立軸の周りで回転し且つ前記モータから前記プラットフォームにトルクを伝達するよう支持される、駆動シャフトを更に含み、該駆動シャフトは、前記ハウジングの第２の半体にある盲開口内で支持され、当該照明装置は、前記駆動シャフトと一体的に形成された第１の歯車を更に含む、請求項１乃至１５のうちのいずれか１項に記載の照明装置。
【請求項１７】
前記モータは、前記駆動シャフトと平行な出力シャフトと、該出力シャフトに固定され且つ前記第１の歯車と噛み合う第２の歯車とを有する、請求項１６に記載の照明装置。
【請求項１８】
前記少なくとも１つの光源は、複数のＬＥＤを含み、各ＬＥＤは、前記ハウジングの上部から突出し、前記シートにあるそれぞれのランプ受入れ開口との位置合わせのために位置付けられ、前記ＬＥＤは、多数の異なる色を発する、請求項２乃至１５のうちのいずれか１項に記載の照明装置。
【請求項１９】
前記ＬＥＤの半分は、第１の円形アレイ内で前記直立軸の付近に配置され、前記ＬＥＤの半分は、前記第１の円形アレイの径方向外側に配置される、請求項１８に記載の照明装置。
【請求項２０】
前記プラットフォームは、半透明材料で形成される、請求項１乃至１９のうちのいずれか１項に記載の照明装置。
【請求項２１】
前記プラットフォームは、前記プラットフォームの上面と下面との間に延在する、同等の直径の複数の円形孔を更に含む、請求項２０に記載の照明装置。
【請求項２２】
当該照明装置は、複数の取付け固定具を更に含み、各取付け固定具は、前記円形孔と相補的な形態の固定部を備え、それにより、前記取付け固定具は、ディスプレイアイテムを支持するために前記プラットフォームに取り外し可能に取り付けられることができる、請求項２１に記載の照明装置。
【請求項２３】
前記プラットフォームは、前記上面に形成される一対の平行な通路を更に含む、請求項１１又は１２に従属するときの請求項２０に記載の照明装置。
【請求項２４】
当該照明装置は、下方端にある突出フランジと、反対側の上方端に近接して蝶番式に固定される脚部とを備える、長方形の本体を含む、書物支持体を更に含み、前記本体の前記下方端及び前記脚部は、各々が前記通路のそれぞれの１つに受け入れられるように構成される、平行に突出する足部を含む、請求項２３に記載の照明装置。
【請求項２５】
前記プラットフォーム上で支持され、前記少なくとも１つの光源からの照明の下で輝く、クリスタル、青金石又はガラスのオブジェクトを更に含む、請求項１乃至２４のうちのいずれか１項に記載の照明装置。
【請求項２６】
前記オブジェクトは、蝋燭の固体ガラス演出であり、その上部に炎状構造を備える円筒形の本体を含む、請求項２５に記載の照明装置。
【請求項２７】
前記炎状構造は、透明な無色ガラスで作らる、請求項２６に記載の照明装置。
【請求項２８】
前記炎状構造は、着色ガラス、好ましくは、黄色及び赤色の両方の着色ガラスで作られる、請求項２６項に記載の照明装置。
【請求項２９】
前記オブジェクトは、
ａ）虎の頭の形状のつまみを有する蓋を備える、着色ラテックス懸濁液及び／又は香油で満たされた固体ガラス茶瓶、或いは、
ｂ）ガラス椀
である、
請求項２５に記載の照明装置。